(57)【要約】    【課題】  作業台とその周辺に門型に配置された複数の収納部とを有する収納システムにおいて、収納物の出し入れや移し替えを行う際の作業性を向上することを課題とする。    【解決手段】  作業空間Ｓに、下部が開放されると共に引出し２１，２２が備えられ、かつ移動可能とされた作業台１１を有し、該作業台１１の左右両側に配置された縦長の収納ユニット１２，１３と、横方向に延びてこれら両収納ユニット１２，１３を上部で連結する上部収納ユニット１４とで門型に形成された収納システム１において、各収納ユニット１２〜１４に、作業台１１が設置された作業空間Ｓから遠い方の辺部を支点に開閉される扉３２，４２，５２，５２を設ける。【選択図】    図２
2005270195.tif 000002
【特許請求の範囲】
【請求項１】
作業空間の左右両側に配置された縦長の側部収納部と、横方向に延びてこれら両収納部を上部で連結する上部収納部とで門型に形成された収納システムであって、上記各収納部を開閉する扉は、上記作業空間から遠い方の辺部を支点に開閉されることを特徴とする収納システム。
【請求項２】
作業空間に、作業台が設置されていることを特徴とする請求項１に記載の収納システム。
【請求項３】
上部収納部の前面は、作業台の前面より後退していることを特徴とする請求項２に記載の収納システム。
【請求項４】
作業台の下部は、開放されていることを特徴とする請求項２または請求項３に記載の収納システム。
【請求項５】
作業台は、移動可能とされていることを特徴とする請求項２から請求項４のいずれかに記載の収納システム。
【請求項６】
作業台は、作業者の作業位置となる場所を避けて引出しを備えていることを特徴とする請求項２から請求項５のいずれかに記載の収納システム。
【発明の詳細な説明】
【技術分野】
【０００１】
本発明は、キッチンやリビングのフロアに設置される食器棚等のような収納システムに関し、家具の技術分野に属する。
【背景技術】
【０００２】
従来、キッチンやリビングのフロアに設置される食器棚等のような収納システムには、作業台を有し、その周辺に隣接配置された複数の収納部で正面視門型に形成されたものがある。例えば、特許文献１には、図８に示すように、作業台Ａの左右両側と上側とにそれぞれ収納部Ｂ，Ｃ，Ｄを配置した収納システムが開示されており、作業台Ａを使用して裁縫等の作業を行うことができるようになっている。
【０００３】
【特許文献１】実開平５−６０３３３号公報（図２）
【発明の開示】
【発明が解決しようとする課題】
【０００４】
ところで、作業台で行う裁縫、編物、書き物等のための用具や材料等を出し入れしたり、あるいは収納部間でこれらを移し替えたりたりする場合、特許文献１に記載の収納システムでは、その都度対応する収納部の扉を開閉する必要があり、その作業は面倒である。しかも、収納部の扉が、正面に配置されたり側面に配置されたりしていると共に作業台に対して開閉方向がまちまちであるので、デザイン的に好ましくないだけでなく、特に多数の収納物を出し入れしたり移し替えたりする場合に、作業を効率よく行うために大半の扉を開いた状態にすると、それぞれの扉を避けながら作業することになり、作業動線が長くなってむしろ作業効率が悪くなるという問題が生じるようになる。
【０００５】
そこで、本発明は、以上の現状に鑑み、作業台とその周辺に門型に配置された複数の収納部とを有する収納システムにおいて、収納物の出し入れや移し替えを行う際の作業性を向上することを課題とする。
【課題を解決するための手段】
【０００６】
上記課題を解決するため、本発明は次のように構成したことを特徴とする。
【０００７】
まず、請求項１に記載の発明は、作業台空間の左右両側に配置された縦長の側部収納部と、横方向に延びてこれら両収納部を上部で連結する上部収納部とで門型に形成された収納システムに関するもので、上記各収納部を開閉する扉は、作業空間から遠い方の辺部を支点に開閉されることを特徴とする。
【０００８】
次に、請求項２に記載の発明は、上記請求項１に記載の収納システムにおいて、作業空間に、作業台が設置されていることを特徴とする。
【０００９】
また、請求項３に記載の発明は、上記請求項２に記載の収納システムにおいて、上部収納部の前面は、作業台の前面より後退していることを特徴とする。
【００１０】
また、請求項４に記載の発明は、上記請求項２または請求項３に記載の収納システムにおいて、作業台の下部は、開放されていることを特徴とする。
【００１１】
また、請求項５に記載の発明は、上記請求項２から請求項４のいずれかに記載の収納システムにおいて、作業台は、移動可能とされていることを特徴とする。
【００１２】
そして、請求項６に記載の発明は、上記請求項２から請求項５のいずれかに記載の収納システムにおいて、作業台は、作業者の作業位置となる場所を避けて引出しを備えていることを特徴とする。
【発明の効果】
【００１３】
まず、請求項１に記載の発明によれば、各収納部を開閉する扉を、作業空間から遠い方の辺部を支点に開閉するようにしたので、扉は作業空間から離れる方向に開くことになる。つまり、収納物の出し入れや移し替えを行う際に、扉を避けながら作業することが回避されるようになるので、作業動線が短縮される。したがって、収納物の出し入れや移し替えを行う際の作業性を向上することができる。また、扉を開いた状態が作業を阻害しないことから、全ての収納部に収納された収納物を見渡すことができるようになるメリットもある。
【００１４】
さらに、収納部の扉を開閉するために操作する取っ手は、扉の作業空間に近い側の辺部近傍に設けられることになるので、作業空間を中心に扉を開くのが容易となる。
【００１５】
次に、請求項２に記載の発明によれば、作業空間に作業台を設置したので、この作業空間における例えば裁縫、編物、書き物等の作業を快適に行うことができる。
【００１６】
また、請求項３に記載の発明によれば、上部収納部の前面を作業台の前面より後退させたので、例えば椅子に座り、作業台に向かって作業を行っている場合に、立ち上がっても上側収納部は邪魔にならない。
【００１７】
また、請求項４に記載の発明によれば、作業台の下部を開放したので、この開放された空間にひざをいれることができ、椅子に座った姿勢で作業を行うことが可能となる。特に、長時間にわたって作業を行う場合に好適となる。
【００１８】
また、請求項５に記載の発明によれば、作業台を移動可能としたので、この作業台を収納システムの設置場所とは別の場所に移動させて使用することが可能となる。したがって、より多様あるいは快適なスタイルで作業台を使用することができる。
【００１９】
そして、請求項６に記載の発明によれば、作業台に、作業者の作業位置となる場所を避けて引出しを備えたので、収納性と作業性とを両立させることができる。
【発明を実施するための最良の形態】
【００２０】
以下、本発明の第１の実施の形態に係る収納システムについて説明する。
【００２１】
図１に示すように、この収納システム１は、キッチンのフロアに設置されて使用されるもので、デスク様の作業台１１を有し、該作業台１１の左右両側に配置された縦長の収納ユニット１２，１３と、横方向に延びてこれら収納ユニット１２，１３を上部で連結する上部収納ユニット１４とで正面視門型に形成されている。
【００２２】
符号Ｓで示す作業空間に設置された作業台１１は、大小２つの引出し２１，２２を備えていると共に下部が開放されており、かつ、前方に引き出して使用することができるようになっている。
【００２３】
図１及び図２に示すように、左側収納ユニット１２は、前面が開口した本体３１と、この開口を開閉する１枚の扉３２とを有している。そして、扉３２は、右側辺部近傍に取っ手３３を有し、作業台１１が設置された作業空間Ｓから遠い方の辺部つまり左側辺部を支点に開閉するように設けられている。また、本体３１内部の空間には、複数の棚板３４…３４や引出し３５…３５が備えられ、多様な収納物の収納を可能にしている。
【００２４】
一方、右側収納ユニット１３は、前面が開口した本体４１と、この開口を開閉する１枚の扉４２とを有している。そして、該扉４２は、左側辺部近傍に取っ手４３を有し、作業台１１が設置された作業空間Ｓから遠い方の辺部つまり右側辺部を支点に開閉するように設けられている。また、本体４１内部の空間には、複数の棚板４４…４４や網かご４５…４５、及び１つの引出し４６が備えられ、この場合にも多様な収納物の収納を可能にしている。
【００２５】
上部収納ユニット１４は、前面が開口した本体５１と、この開口を開閉する上下２枚の扉５２，５２とを有している。そして、各扉５２はいわゆる上開きタイプのフラップ扉であって、下側辺部近傍に取っ手５３を有し、作業台１１が設置された作業空間Ｓから遠い方の辺部つまり上側辺部を支点に開閉するように設けられている。また、本体５１内部の空間は、２枚の仕切り板５４，５４によって都合４つに区画されている。
【００２６】
そして、図３に示すように、上部収納ユニット１４の前面は、作業台１１の前面より距離ｍだけ後退している。そして、本体５１と扉５２，５２とにわたってステー５５，５５が設けられており、扉５２，５２は、取っ手５３，５３を介して開かれたとき、これらのステー５５，５５によって鎖線で示すように略水平に保持される。
【００２７】
以上のように構成したことにより、まず、図２に示したように、各収納ユニット１２，１３，１４を開閉する扉３２，４２，５２，５２を、作業空間Ｓから遠い方の辺部を支点に開閉するようにしたので、扉３２，４２，５２，５２は作業空間Ｓから離れる方向に開くことになる。つまり、収納物の出し入れや移し替えを行う際に、扉３２，４２，５２，５２を避けながら作業することが回避されるようになるので、作業動線が短縮される。したがって、矢印で示すような収納物の出し入れや移し替えを行う際の作業性を向上することができる。また、扉３２，４２，５２，５２を開いた状態が作業を阻害しないことから、全ての収納ユニット１２，１３，１４に収納された収納物を見渡すことができるようになるメリットもある。
【００２８】
さらに、収納ユニット１２，１３，１４の扉３２，４２，５２，５２を開閉するために操作する取っ手３３，４３，５３，５３は、扉３２，４２，５２，５２の作業空間Ｓに近い側の辺部近傍に設けられることになるので、作業空間Ｓを中心に扉３２，４２，５２，５２を開くのが容易となる。
【００２９】
そして、特に、上記作業空間Ｓに作業台１１を設置したので、この作業空間Ｓにおける例えば裁縫、編物、書き物等の作業を快適に行うことができる。
【００３０】
その上で、図３に示したように、上部収納ユニット１４の前面を作業台１１の前面より後退させたので、例えば椅子Ｘに座り、作業台１１に向かって作業を行っている場合に、立ち上がっても上部収納ユニット１４は邪魔にならない。
【００３１】
また、図１〜図３に示したように、作業台１１の下部を開放したので、この開放された空間にひざをいれることができ、椅子Ｘに座った姿勢で作業を行うことが可能となる。特に長時間にわたって作業を行う場合に好適となる。さらに、上記空間に、椅子Ｘを押し込んで収納することもできる。
【００３２】
また、作業台１１を移動可能としたので、この作業台１１を収納システム１の設置場所とは別の場所に移動させて使用することが可能となる。したがって、より多様あるいは快適なスタイルで作業台１１を使用することができる。
【００３３】
なお、作業台１１に引出し２１，２２を備えており、図例のように、左右の引出し２１，２２の幅寸法を異ならせることにより、例えば頻繁に出し入れを行う収納物を小さな引出し２２に収納する一方、頻繁に出し入れを行うことのない収納物を大きな引出し２１に収納し、該引出し２１の前面に位置して作業するようにすれば、小さな引出し２２を有効に使用することができ、もって該引出し２２と作業台１１上との間の収納物の出し入れ作業が容易となる。
【００３４】
次に、本発明の第２の実施の形態に係る収納システムについて説明する。
【００３５】
すなわち、図４に示す収納システム１Ａは、作業台１１Ａを有し、該作業台１１Ａの左右両側に配置された収納ユニット１２Ａ，１３Ａと、これらを上部で連結する図示しない上部収納ユニットとで正面視門型に形成されている。そして、作業台１１Ａに、作業者Ｐの作業位置となる場所つまりこの場合中央を避けて左右両側に、同じ幅寸法の引出し２１Ａ，２２Ａを備えている。これにより、両引出し２１Ａ，２２Ａを引き出した状態としても、作業の邪魔になることはなく、収納性と作業性とを両立させることができる。
【００３６】
なお、本発明は、具現化して説明した上記実施の形態に限定されることはなく、本発明の趣旨に沿うものであればよい。以下の説明では、特に混乱を招かない限り、前述した実施の形態と共通する構成要素には同じ符号を付すことにする。
【００３７】
例えば、作業台１１の移動をさらに容易とするため、図５に示す収納システム１Ｂのように、一般的なアジャスタに代えて、下部にキャスタ（２個のみ図示）２３Ｂ…２３Ｂを備えた作業台１１Ｂとしてもよい。これにより、細い鎖線で示すように、作業台１１Ｂをさらに容易に引き出すことができる。
【００３８】
また、前述した収納システム１では、上部収納ユニット１４の扉５２，５２を開いてステー５５，５５で略水平に保持していたが、開いたのち本体５１内部に押し込んで収容するような構成の扉としてもよい。これにより、扉が一層邪魔にならなくなる。
【００３９】
また、前述した収納システム１の上部収納ユニット１４に代えて、図６に示すように、１枚の扉５２Ｃで開閉する形式の上部収納ユニット１４Ｃとしてもよい。これにより、全ての収納ユニット１２，１３，１４Ｃにおいて、扉３２，４２，５２Ｃはそれぞれ１枚となるので、開閉作業が一層軽減されると共に収納物の出し入れ作業や移し替え作業がさらに容易となるだけではなく、デザイン的にもすっきりとした収納システム１Ｃが実現される。
【００４０】
また、前述した収納システム１の左右両側の収納ユニット１２，１３に代えて、図７に示すように、それぞれ２枚の扉３２Ｄ，３２Ｄ，４２Ｄ，４２Ｄで開閉する形式の収納ユニット１２Ｄ，１３Ｄとしてもよい。これにより、全ての収納ユニット１２Ｄ，１３Ｄ，１４において、扉３２Ｄ，３２Ｄ，４２Ｄ，４２Ｄ，５２，５２はそれぞれ２枚となるので、例えば収納物を細分化して収納する等、収納性を向上することができる収納システム１Ｄが実現される。
【００４１】
そして、図示しないが、左右両側の収納ユニットをそれぞれ２枚の扉で開閉すると共に、上部収納ユニットを１枚の扉で開閉する形式の収納システムとしてもよい。この場合にも、前述した収納システム１と略同様の特徴を有する収納システムが実現される。
【産業上の利用可能性】
【００４２】
以上説明したように、本発明によれば、作業台とその周辺に門型に配置された複数の収納部とを有する収納システムにおいて、収納物の出し入れや移し替えを行う際の作業性を向上することができる。すなわち、本発明は、キッチンやリビングのフロアに設置される食器棚等のような収納システムに関し、家具の技術分野に広く好適である。
【図面の簡単な説明】
【００４３】
【図１】本発明の第１の実施の形態に係る収納システムの斜視図である。
【図２】同じく扉を開いたときの斜視図である。
【図３】図１のＩＩ−ＩＩ線による断面図である。
【図４】本発明の第２の実施の形態に係る収納システムにおける作業台を示す平面図である。
【図５】別なる構成の収納システムにおける作業台を示す概ね図３に対応する断面図である。
【図６】別なる構成の収納システムの斜視図である。
【図７】別なる構成の収納システムの斜視図である。
【図８】従来の収納システムの斜視図である。
【符号の説明】
【００４４】
１，１Ａ〜１Ｄ    収納システム
１１，１１Ａ，１１Ｂ    作業台
１２，１２Ａ，１２Ｄ    左側収納ユニット（側部収納部）
１３，１３Ａ，１３Ｄ    右側収納ユニット（側部収納部）
１４，１４Ｃ      上部収納ユニット（上部収納部）
２１Ａ，２２Ａ    引出し
３２，３２Ｄ      扉
４２，４２Ｄ      扉
５２，５２Ｃ      扉
Ｐ        作業者
Ｓ        作業空間
【図１】
2005270195.tif 000003
【図２】
2005270195.tif 000004
【図３】
2005270195.tif 000005
【図４】
2005270195.tif 000006
【図５】
2005270195.tif 000007
【図６】
2005270195.tif 000008
【図７】
2005270195.tif 000009
【図８】
2005270195.tif 000010